(57)【要約】【課題】高支柱及び低支柱に内向きの適切なプリテンションを導入した片流れラーメン構造物を提供する。【解決手段】高支柱11と斜梁13との間に方杖16を架設し、斜梁13,14を突き合わせた頂点15から降ろした圧縮材17下端と各斜梁13,14とを傾斜引張材18,19で結んだ単位フレーム１からなる片流れラーメン構造物において、圧縮材17下端及び斜梁13,14に傾斜引張材18,19を仮締めした状態で、圧縮材17下端を下方から押し上げて圧縮材17及び傾斜引張材18,19を変位させ、前記圧縮材17及び前記傾斜引張材18,19の変位により頂点15が押し上げられる斜梁13,14を介して高支柱11及び低支柱12に内向きのプリテンションPTを発生させ、圧縮材17下端及び斜梁13,14上の点に傾斜引張材18,19を本締めして、高支柱11及び低支柱12に内向きのプリテンションを導入する片流れラーメン構造物である。【選択図】図１
2007100310.tif 000002
【特許請求の範囲】
【請求項１】
高支柱から斜め下方へ延ばした斜梁と前記高支柱に対となる低支柱から斜め上方へ延ばした斜梁とを頂点で突き合わせ、高支柱上の点と斜め下方に降ろした斜梁上の点との間に方杖を架設し、前記頂点から降ろした圧縮材下端と各斜梁上の点とを傾斜引張材で結んで構成される複数の単位フレームからなる片流れラーメン構造物において、圧縮材下端及び斜梁上の点に傾斜引張材を仮締めした状態で、圧縮材下端を下方から押し上げて圧縮材及び傾斜引張材を変位させ、前記圧縮材及び前記傾斜引張材の変位により頂点が押し上げられる斜梁を介して高支柱及び低支柱に内向きのプリテンションを発生させ、前記プリテンションが発生している状態で、圧縮材下端及び斜梁上の点に傾斜引張材を本締めすることにより、各単位フレームの対となる高支柱及び低支柱に内向きのプリテンションを導入してなることを特徴とする片流れラーメン構造物。
【請求項２】
圧縮材は、プリテンションを導入する前の現寸より押し上げられる頂点の垂直変位量だけ長くした実寸にし、傾斜引張材は、プリテンションを導入する前の現寸より前記頂点の押上による斜梁の略水平変位量だけ短くした実寸にした請求項1記載の片流れラーメン構造物。
【請求項３】
傾斜引張材は、斜梁上の点と接続する引張材側仮締め孔及び引張材側本締め孔を端部に設け、また斜梁上の点は、前記傾斜引張材の端部を接続する斜梁側仮締め孔及び斜梁側本締め孔を設けてなり、斜梁側仮締め孔は略垂直方向に延在する長孔であり、前記斜梁側仮締め孔の上方と引張材側仮締め孔とに仮締めボルトを挿通して仮締めした状態で圧縮材下端を押し上げ、仮締めボルトを斜梁側仮締め孔の下方に変位させることにより斜梁側本締め孔と引張材側本締め孔とを連通させ、こうして連通した斜梁側本締め孔と引張材側本締め孔とに本締めボルトを挿通して本締めしてなる請求項１又は2いずれか記載の片流れラーメン構造物。
【請求項４】
高支柱から斜め下方へ延ばした斜梁と前記高支柱に対となる低支柱から斜め上方へ延ばした斜梁とを頂点で突き合わせ、高支柱上の点と前記斜め下方に降ろした斜梁上の点との間に方杖を架設して構成される複数の単位フレームからなる片流れラーメン構造物における前記各単位フレームの対となる高支柱及び低支柱に内向きのプリテンションを導入するに際し、地上に設置されたジャッキにより延在方向に突き上げられる押上ポスト上端により頂点を上方へ押し上げ、頂点が押し上げられる斜梁を介して高支柱及び低支柱に内向きのプリテンションを発生させた状態で高支柱及び低支柱を拘束して、各単位フレームの対となる高支柱及び低支柱に内向きのプリテンションを導入することを特徴とするプリテンション導入工法。
【請求項５】
単位フレームは、高支柱から斜め下方へ延ばした斜梁と前記高支柱に対となる低支柱から斜め上方へ延ばした斜梁とを頂点で突き合わせ、高支柱上の点と斜め下方に降ろした斜梁上の点との間に方杖を架設し、前記頂点から降ろした圧縮材下端と各斜梁上の点とを傾斜引張材で結んだ構成で、圧縮材下端及び斜梁上の点に傾斜引張材を仮締めした状態で、押上ポスト上端により圧縮材下端を上方へ押し上げて圧縮材及び傾斜引張材を変位させ、前記圧縮材及び前記傾斜引張材の変位により頂点が押し上げられる斜梁を介して高支柱及び低支柱に内向きのプリテンションを発生させた状態で、圧縮材下端及び斜梁上の点に傾斜引張材を本締めして、各単位フレームの対となる高支柱及び低支柱に内向きのプリテンションを導入する請求項４記載のプリテンション導入工法。
【請求項６】
単位フレームは、プリテンションを導入する前の現寸より押し上げられる頂点の垂直変位量だけ長くした実寸の圧縮材を頂点から降ろし、プリテンションを導入する前の現寸より前記頂点の押上による斜梁の略水平変位量だけ短くした実寸の傾斜引張材で前記圧縮材下端と各斜梁上の点とを結んだ構成にする請求項５記載の片流れラーメン構造物。
【請求項７】
傾斜引張材と斜梁上の点とは、傾斜引張材の端部に設けた引張材側仮締め孔と斜梁上の点に設けた略垂直方向の長孔である斜梁側仮締め孔の上方とに仮締めボルトを挿通して仮締めした状態で圧縮材下端を押し上げ、仮締めボルトを斜梁側仮締め孔の下方に変位させることにより斜梁側本締め孔と引張材側本締め孔とを連通させ、こうして連通した斜梁側本締め孔と引張材側本締め孔とを本締めボルトにより本締めする請求項５又は６いずれか記載のプリテンション導入工法。
【発明の詳細な説明】
【技術分野】
【０００１】
本発明は、対となる高支柱及び低支柱に内向きのプリテンションを導入した片流れラーメン構造物と、片流れラーメン構造物に対するプリテンション導入工法とに関する。
【背景技術】
【０００２】
大型空間を有する建築構造物として多用される山形ラーメン構造物のうち、商業店舗等では、対となる支柱に高低差を持たせ、斜梁が全体として一方向に傾斜する片流れラーメン構造物が用いられる。一般に用いられる片流れラーメン構造物は、高い支柱（高支柱）から低い支柱（低支柱）に向けて一定の勾配を有するトラス梁が架設される。しかし、前記トラス梁は不要に天井空間を占有することから、例えば特許文献1に見られるように、対となる高支柱及び低支柱それぞれの柱頭から斜め上方及び斜め下方へ延ばした斜梁を頂点で突き合わせ、高支柱上の点と前記斜め下方へ延ばした斜梁上の点との間に方杖を架設し、前記頂点から降ろした圧縮材下端と各斜梁上の点とを傾斜引張材で結んだ単位フレームからなる片流れラーメン構造物が提案されている。
【０００３】
また、左右対称な山形ラーメン構造物では、例えば特許文献２に見られるテンション導入装置を用いてプリテンションを導入し、支柱及び斜梁に用いる鋼材（通常Ｈ鋼材）の仕様を抑え、高い経済効果が得られることが知られている。特許文献２のテンション導入装置（テンション発生装置）は、支柱の柱頭それぞれから内向きに引張補助材を延ばし、前記引張補助材が重なり合う部分で各引張補助材を互いに内向きへ引っ張ることで、支柱に直接内向きのプリテンションを加える。山形ラーメン構造物は、前記プリテンションを加えた状態で、例えば特許文献３に見られる山形ラーメン構造物ならば傾斜引張材を本締めするとプリテンションが残存し、各支柱に内向きのプリテンションを導入できる。
【０００４】
【特許文献１】特許第3483463号公報
【特許文献２】特許第3136095号公報
【特許文献３】特許第2731359号公報
【発明の開示】
【発明が解決しようとする課題】
【０００５】
特許文献1に見られる片流れラーメン構造物においても、高支柱及び低支柱に内向きの適切なプリテンションを導入できれば、山形ラーメン構造物同様の経済効果を見込むことができる。しかし、片流れラーメン構造物は、山形ラーメン構造物と異なり、前後非対称であるほか、高支柱及び低支柱の高さが異なることから、上記特許文献２に見られるテンション導入装置を用いて、高支柱及び低支柱それぞれに適切な内向きのプリテンションを導入することが難しかった。これは、特許文献３公開後に出願されている特許文献1においても、トラス梁から斜梁の突き合わせによる構造の改善以外、プリテンションの導入について触れられていないことからも推測できる。
【０００６】
仮に特許文献２に見られるテンション導入装置を用いて適切なプリテンションが導入できるとしても、このテンション導入装置を用いたプリテンション導入工法は費用がかかり、プリテンションを導入することによる経済効果をかえって減殺してしまう虞がある。例えば特許文献2のテンション導入装置は、支柱を内向きに引っ張る応力に耐える強度を備えるため、重量物（200kg程度）となっていた。このため、テンション導入装置を支柱の柱頭付近（高さ６ｍ〜８ｍ）まで吊り上げる５ｔクレーン車を必要とするほか、吊り上げ及び吊り下げの段階や、支柱を内向きに引っ張る高所作業の間、テンション導入装置が落下する危険がある。
【０００７】
また、特許文献２のテンション導入装置によるプリテンション導入工法は、どうしても高所作業が多くならざるを得ず、この高所作業に複数人（６人程度）の作業者が必要となり、これら作業者に高所作業をさせるには2台の高所作業車を必要とする。こうしたことから、特許文献２のテンション導入装置をクレーンで吊り上げて複数人に高所作業させ、プリテンション導入後、再びテンション導入装置を地上に降ろす手順を踏むと、プリテンションを導入できる単位フレームの数は1日当たり１組程度となり、５〜６組の単位フレームを有する通常の片流れラーメン構造物全体にプリテンションを導入するには、１週間程度かかってしまう。
【０００８】
このほか、特許文献２のテンション導入装置は重量物であるため、保管場所も倉庫等に専用個所を設けなければならず、またこの保管場所から施行現場への搬送に４ｔトラックが必要となる等、プリテンションを導入する作業前の準備や作業後の撤収にも手間、労力及び時間を要する。この結果、特許文献２のテンション導入装置を用いて、上記５〜６組の単位フレームを有する通常の片流れラーメン構造物全体にプリテンションを導入する費用は、100万円弱に達すると試算される。これでは、プリテンションを導入した片流れラーメン構造物が高い経済効果を有していても、プリテンションの導入作業によって前記経済効果が相殺されてしまう。
【０００９】
このように、片流れラーメン構造物においてもプリテンションを導入した方が好ましいことが分かっているものの、従来公知のプリテンション導入工法では、高支柱及び低支柱それぞれに内向きの適切なプリテンションを導入できず、仮に導入できたとしても経済効果の改善が見込めなかった。そこで、片流れラーメン構造物の単位フレームにおける対となる高支柱及び低支柱に内向きの適切なプリテンションを導入するため、従来のプリテンション導入工法における高所作業における手間、労力及び危険を低減すると共に、単位フレーム当たりの作業時間を削減し、通常５〜６組の単位フレームからなる片流れラーメン構造物全体にプリテンションを導入するのに必要な日数を短くできるプリテンション導入工法を、検討した。
【課題を解決するための手段】
【００１０】
検討の結果開発したものが、高支柱から斜め下方へ延ばした斜梁と前記高支柱に対となる低支柱から斜め上方へ延ばした斜梁とを頂点で突き合わせ、高支柱上の点と斜め下方に降ろした斜梁上の点との間に方杖を架設し、前記頂点から降ろした圧縮材下端と各斜梁上の点とを傾斜引張材で結んで構成される複数の単位フレームからなる片流れラーメン構造物において、圧縮材下端及び斜梁上の点に傾斜引張材を仮締めした状態で、圧縮材下端を下方から押し上げて圧縮材及び傾斜引張材を変位させ、前記圧縮材及び前記傾斜引張材の変位により頂点が押し上げられる斜梁を介して高支柱及び低支柱に内向きのプリテンションを発生させ、前記プリテンションが発生している状態で、圧縮材下端及び斜梁上の点に傾斜引張材を本締めすることにより、各単位フレームの対となる高支柱及び低支柱に内向きのプリテンションを導入する片流れラーメン構造物である。
【００１１】
本発明の片流れラーメン構造物は、高支柱及び低支柱それぞれに適切な内向きのプリテンションを直接的に導入しがたいため、斜梁の頂点を押し上げることにより、高支柱及び低支柱それぞれに適切な内向きのプリテンションを間接的に導入する。高支柱及び低支柱に内向きのプリテンションを導入した状態（以下、「プリテンション導入状態」と呼ぶ。）は、高支柱及び低支柱が内向きに傾倒し、斜梁の頂点が押し上げられている。これから、逆に前記斜梁の頂点を押し上げて、間接的に力を加えられた高支柱及び低支柱を内向きに傾倒させれば、プリテンション導入状態を作り出すことができる。
【００１２】
ここで、斜梁の頂点を押し上げ、高支柱及び低支柱それぞれにプリテンションを間接的に導入する力は、高支柱及び低支柱を内向きに傾倒させ、高支柱及び低支柱にプリテンションを直接的に導入する力より小さくて済むため、本発明の片流れラーメン構造物におけるプリテンション導入工法は、手順が簡略化され、短期間で施工可能になるほか、施工費総額が低減される。
【００１３】
プリテンション導入状態は、頂点の垂直変位量だけ圧縮材が延び、また斜梁上の点の略水平変位量だけ傾斜引張材が短縮した状態と見ることができる。これから、圧縮材は、プリテンションを導入する前の現寸より押し上げられる頂点の垂直変位量だけ長くした実寸にし、傾斜引張材は、プリテンションを導入する前の現寸より前記頂点の押上による斜梁の略水平変位量だけ短くした実寸にするとよい。
【００１４】
具体的には、圧縮材の現寸をＬc、頂点の垂直変位量をΔＬc、高支柱から斜め下方へ延ばした斜梁側の傾斜引張材の現寸をＬp1、前記斜梁上の点の略水平変位量をΔＬp1、そして低支柱から斜め上方へ延ばした斜梁側の傾斜引張材の現寸をＬp2、前記斜梁上の点の略水平変位量をΔＬp2とすれば、圧縮材の実寸はＬc＋ΔＬc、傾斜引張材それぞれの実寸はＬp1−ΔＬp1及びＬp2−ΔＬp2にする。これにより、斜梁の頂点を押し上げた状態で傾斜引張材を圧縮材下端及び斜梁上の点に本締めすると、プリテンション導入状態で斜梁、高支柱及び低支柱を拘束できる。
【００１５】
ここで、斜梁は頂点の押上によって回転運動するため、厳密な斜梁の変位は水平変位及び垂直変位を含むが、傾斜引張材の実寸を決定するために必要な変位量はほとんど水平変位量であることから、この水平変位量が主となる斜梁の変位量を「略水平変位量」と呼んでいる。これから、傾斜引張材のより正確な実寸は、高支柱から斜め下方へ延ばした斜梁側の傾斜引張材の現寸をＬp1、前記斜梁上の点の水平変位量をΔＬp1x及び垂直変位量ΔＬp1y、低支柱から斜め上方へ延ばした斜梁側の傾斜引張材の現寸をＬp2、前記斜梁上の点の水平変位量をΔＬp2x及び垂直変位量ΔＬp2yとすれば、それぞれＬp1−√（ΔＬp1x2＋ΔＬp1y2）及びＬp2−√（ΔＬp2x2＋ΔＬp2y2）となる。
【００１６】
上述のように、斜梁の頂点を押し上げると、斜梁上の点に接続する傾斜引張材の端部は下降する。これから、傾斜引張材は斜梁上の点と接続する引張材側仮締め孔及び引張材側本締め孔を端部に設け、また斜梁上の点は前記傾斜引張材の端部を接続する斜梁側仮締め孔及び斜梁側本締め孔を設けて、斜梁側仮締め孔は略垂直方向に延在する長孔とし、前記斜梁側仮締め孔の上方と引張材側仮締め孔とに仮締めボルトを挿通して仮締めした状態で圧縮材下端を押し上げ、仮締めボルトを斜梁側仮締め孔の下方に変位させることにより斜梁側本締め孔と引張材側本締め孔とを連通させ、こうして連通した斜梁側本締め孔と引張材側本締め孔とに本締めボルトを挿通して本締めすると、プリテンション導入状態で斜梁及、高支柱及び低支柱を拘束しやすい。引張材側仮締め孔、引張材側本締め孔、斜梁側仮締め孔及び斜梁側本締め孔の個数は自由であるが、対となる引張材側仮締め孔及び斜梁側仮締め孔、そして引張材側本締め孔及び斜梁側本締め孔は同数が好ましい。
【００１７】
斜梁側仮締め孔及び斜梁側本締め孔は、斜梁に固着した左ガセット及び右ガセットにそれぞれ設けるとよい。ここで、斜梁側仮締め孔及び引張材側仮締め孔は、斜梁側本締め孔及び引張材側本締め孔に働く引張力の軸線上に当たらない位置に設けることが好ましい。通常、斜梁側本締め孔及び引張材側本締め孔は複数設けられるので、前記左ガセット及び右ガセットは、複数の斜梁側本締め孔の内側に、略垂直方向に延びる長孔である単数の斜梁側仮締め孔を設けることになる。具体的な斜梁側仮締め孔の長孔は、斜梁上の点の略垂直変位方向に延び、上述した垂直変位量ΔＬp1y又はΔＬp2yより少し長めの長さとする。
【００１８】
本発明によるプリテンション導入工法は、高支柱から斜め下方へ延ばした斜梁と前記高支柱に対となる低支柱から斜め上方へ延ばした斜梁とを頂点で突き合わせて構成される複数の単位フレームからなる山形ラーメン構造物における前記各単位フレームの対となる高支柱及び低支柱に内向きのプリテンションを導入するに際し、地上に設置されたジャッキにより延在方向に突き上げられる押上ポスト上端により頂点を上方へ押し上げ、頂点が押し上げられる斜梁を介して高支柱及び低支柱に内向きのプリテンションを発生させた状態で高支柱及び低支柱を拘束して、各単位フレームの対となる高支柱及び低支柱に内向きのプリテンションを導入する手順を踏む。
【００１９】
上記プリテンション導入工法を本発明の片流れラーメン構造物に対して具体的に用いる場合、単位フレームは、高支柱から斜め下方へ延ばした斜梁と前記高支柱に対となる低支柱から斜め上方へ延ばした斜梁とを頂点で突き合わせ、高支柱上の点と斜め下方に降ろした斜梁上の点との間に方杖を架設し、前記頂点から降ろした圧縮材下端と各斜梁上の点とを傾斜引張材で結んだ構成で、圧縮材下端及び斜梁上の点に傾斜引張材を仮締めした状態で、押上ポスト上端により圧縮材下端を上方へ押し上げて圧縮材及び傾斜引張材を変位させ、前記圧縮材及び前記傾斜引張材の変位により頂点が押し上げられる斜梁を介して高支柱及び低支柱に内向きのプリテンションを発生させた状態で、圧縮材下端及び斜梁上の点に傾斜引張材を本締めして、各単位フレームの対となる高支柱及び低支柱に内向きのプリテンションを導入する手順を踏む。
【００２０】
ここで、プリテンション導入状態での斜梁、高支柱及び低支柱の拘束を容易にするには、まず単位フレームを、プリテンションを導入する前の現寸より押し上げられる頂点の垂直変位量だけ長くした実寸の圧縮材を頂点から降ろし、プリテンションを導入する前の現寸より前記頂点の押上による斜梁の略水平変位量だけ短くした実寸の傾斜引張材で前記圧縮材下端と各斜梁上の点とを結んだ構成にするとよい。
【００２１】
また、傾斜引張材と斜梁上の点とは、傾斜引張材の端部に設けた引張材側仮締め孔と斜梁上の点に設けた略垂直方向の長孔である斜梁側仮締め孔の上方とに仮締めボルトを挿通して仮締めした状態で圧縮材下端を押し上げ、仮締めボルトを斜梁側仮締め孔の下方に変位させることにより斜梁側本締め孔と引張材側本締め孔とを連通させ、こうして連通した斜梁側本締め孔と引張材側本締め孔とを本締めボルトにより本締めするとよい。
【発明の効果】
【００２２】
本発明により、これまでプリテンションの導入が難しかった片流れラーメン構造物に、簡易かつ安価にプリテンションを導入できるようになる。しかも、本発明では、片流れラーメン構造物にプリテンションを導入するに際し、高所作業における手間、労力及び危険を低減すると共に、単位フレーム当たりの作業時間を削減し、片流れラーメン構造物全体にプリテンションを導入するのに必要な日数を短くすることができる。具体的には、通常５〜６組の単位フレームからなる片流れラーメン構造物にプリテンションを導入する場合、費用は15万円程度、日数は１日で済むようになる。ここで、圧縮材及び傾斜引張材の寸法を、プリテンション導入状態に合わせて予め長く又は短くしておくと、好適にプリテンションを導入しやすくなる利点がある。
【００２３】
また、本発明のプリテンション導入工法は、例えば一般ビル構造物からなる２階建又は3階建の最上階に片流れ屋根を設ける時、プリテンションを容易に導入できる。前記2階建又は3階建の片流れラーメン構造物では、2階床又は３階床に大梁又は小梁等が張られているため、例えば特許文献２のテンション導入装置を吊り上げてプリテンションを導入することが困難であった。しかし、本発明のプリテンション導入工法では、テンション導入装置を吊り上げる必要がなく、頂点又は圧縮材下方に空間さえあれば実施可能である。この結果、本発明のプリテンション導入工法によれば、外壁等を壊すことなく、既存の片流れラーメン構造物にもプリテンションを導入可能となる。このように、本発明は、様々な片流れラーメン構造物に対してプリテンションの導入を可能にする効果がある。
【発明を実施するための最良の形態】
【００２４】
以下、本発明の実施形態について図を参照しながら説明する。図1は本発明に基づいてプリテンションPTを導入し終えた片流れラーメン構造物の単位フレーム１を示す正面図、図２は本例の片流れラーメン構造物の単位フレーム１におけるモーメント図、図３は傾斜引張材18,19を仮締めした状態の単位フレーム１を示す正面図、図４は傾斜引張材18,19を仮締めした状態の単位フレーム１におけるモーメント図、図５はテンション導入装置２を組み付けている状態の単位フレーム１を示す正面図、図６はプリテンション導入状態の単位フレーム１を示す正面図であり、図７はプリテンション導入状態の単位フレーム１におけるモーメント図である。
【００２５】
本発明に基づく片流れラーメン構造物の単位フレーム１は、図１に見られるように、高支柱11の柱頭から斜め下方に延ばした斜梁13と、前記高支柱11に対となる低支柱12の柱頭から上方に延ばした斜梁14とを頂点15で突き合わせ、高支柱11上の点と斜め下方に降ろした斜梁13上の点との間に方杖16を架設し、そして前記頂点15から降ろした圧縮材17下端と前記斜梁13,14上の点とを結んだ傾斜引張材18,19とからなり、高支柱11及び低支柱12に内向きのプリテンションPTが導入されている。前記プリテンションPTの導入により、図２に見られるように、高支柱11、低支柱12及び斜梁13,14に発生するモーメントＭは小さくなっており、この結果、前記高支柱11、低支柱12及び斜梁13,14の仕様が抑えられている。高支柱11、低支柱12及び斜梁13,14は、従来公知の片流れラーメン構造物同様Ｈ鋼材で構成し、また方杖16、圧縮材17及び傾斜引張材18,19はパイプ材を用いている。
【００２６】
斜梁13,14は、傾斜引張材18,19を接続する点としてそれぞれ左ガセット131及び右ガセット141を固着し、突き合わせた頂点15に頂点ガセット151を固着している。方杖16は、高支柱11上の点として固着した支柱側ガセット111に方杖下端プレート162をボルト結合により接続し、前記左ガセット131に方杖上端プレート161をボルト結合により接続して、架設している。圧縮材17は、上端に固着した圧縮材上端プレート172を頂点ガセット151に、また下端に固着した圧縮材下端プレート173を中央ガセット171にそれぞれボルト結合により接続する。中央ガセット171には、プリテンションPTを導入するためのジャッキ21（後掲図６参照）の突き上げを受ける突当板1711を固着している。各傾斜引張材18,19は、支柱側端部に固着した支柱側プレート181,191を左ガセット131又は右ガセット141に、また中央側端部に固着した中央側プレート182,192を中央ガセット171にそれぞれボルト結合により接続する。
【００２７】
ここで、本発明に基づく片流れラーメン構造物では、圧縮材17を介した頂点15の突き上げにより斜梁13,14が変位して支柱に内向きのプリテンションPTを発生させ、前記斜梁13,14が変位した状態（プリテンション導入状態）で高支柱11、低支柱12及び斜梁13,14を拘束することから、本例では前記斜梁13,14の変位を加味して圧縮材17及び傾斜引張材18,19の長さを決定している。例えば圧縮材17と左ガセット131に接続する傾斜引張材18とについて言えば、圧縮材17の現寸をＬc、頂点15の垂直変位量をΔＬc、傾斜引張材18の現寸をＬp1、斜梁13に追随する左ガセット131の水平変位量をΔＬp1x、垂直変位量をΔＬp1yとすれば、圧縮材17の実寸はＬc＋ΔＬc、傾斜引張材18は実寸はＬp1−√（ΔＬp1x2＋ΔＬp1y2）にしている。説明は省略するが、右ガセット141に接続する傾斜引張材19も同様である。
【００２８】
また、図３中拡大部分及び図６中拡大部分に見られるように、例えば左ガセット131の支柱側（各図左側）に６個のボルト孔からなる斜梁側本締め孔1313と、この左ガセット131の中央側（各図右側）に1個の長孔（ルーズホール）からなる斜梁側仮締め孔1311とを設け、対応する傾斜引張材18の支柱側プレート181の支柱側に６個のボルト孔からなる引張材側本締め孔1813と、この支柱側プレート181の中央側に1個のボルト孔からなる引張材側仮締め孔1811とを設けて、斜梁側仮締め孔1311及び引張材側仮締め孔1811とに仮締めボルト1312（図３中拡大部分参照）を挿通して仮締めし、斜梁側本締め孔1313及び引張材側本締め孔1813とに本締めボルト1314（図６中拡大部分参照）を挿通して本締めできる。説明は省略するが、右ガセット141に接続する傾斜引張材19も同様である。
【００２９】
斜梁側仮締め孔1311は、仮締めのために引張材側仮締め孔1811から挿通した仮締めボルト1312が斜梁13の変位を受けて下降できる範囲の長さ及び方向を有すればよい。これから、斜梁側仮締め孔1311は、上記左ガセット131の垂直変位量のΔＬp1yより少し長めの長さで略垂直方向に延在するように設ける。説明は省略するが、右ガセット141の斜梁側仮締め孔（図示略）も同様である。
【００３０】
本発明の片流れラーメン構造物について、単位フレーム１を例に構築手順を説明する。まず、地上作業として、傾斜引張材18,19を仮締めした単位フレーム１を組み立て、図３に見られるように立設する。単位フレーム１は、高支柱11の柱頭から斜め下方に延びる斜梁13と、前記高支柱11に対となる低支柱12の柱頭から斜め上方に延びる斜梁14とを突き合わせて、基本構成を構成する。高支柱11には支柱側ガセット111を、斜梁13,14を突き合わせた頂点15には頂点ガセット151を、各斜梁13,14には左ガセット131及び右ガセット141を、それぞれ溶接により固着する。方杖16は、前記支柱側ガセット111及び左ガセット131との間に架設する。
【００３１】
圧縮材17は、圧縮材下端プレート173に中央ガセット171を仮締めした状態で、圧縮材上端プレート172を頂点ガセット151にボルト結合する。中央ガセット171には、後述するジャッキ21による突き上げを受ける突当板1711を溶接により固着している。そして、傾斜引張材18,19は中央側プレート182,192を前記中央ガセット171に仮締めすると共に、左ガセット131又は右ガセット141に支柱側プレート181,191を仮締めする。この段階の単位フレーム１には、図４に見られるように、高支柱11、低支柱12及び斜梁13,14に大きなモーメントＭが発生している。
【００３２】
例えば左ガセット131に対する傾斜引張材18の支柱側プレート181は、図３中拡大部分に見られるように、左ガセット131に設けた斜梁側仮締め孔1311の上方と、支柱側プレート181に設けた引張材側仮締め孔1811とを連通させた状態で、前記引張材側仮締め孔1811から仮締めボルト1312を挿通して手締めすることにより、仮締めする。既述したように、傾斜引張材18は現寸Ｌp1より短い実寸Ｌp1−ΔＬp1になっているので、プリテンションPTを導入していない状態では、中央ガセット171から左ガセット131までの距離が短くなるように、左ガセット131に設けた斜梁側仮締め孔1311の上方と、支柱側プレート181に設けた引張材側仮締め孔1811とが連通する。
【００３３】
次に、図５に見られるように、地上作業として、ジャッキ21からなるテンション導入装置２を圧縮材17下方で組み立てる。本例のテンション導入装置２は、地上に位置固定したジャッキ21に、複数の円形鋼管を接続して構成した押上ポスト22を接続した構成である。このテンション導入装置２は、押上ポスト22がジャッキ21と突当板1711との間に介在することで、ジャッキ21による突き上げを突当板1711に伝達し、突当板1711から中央ガセット171、圧縮材17を介して頂点15を突き上げる。突当板1711に対する押上ポスト22の当接は、高所作業である。押上ポスト22は、ジャッキ21から突当板1711までの高さを接続する円形鋼管の数で調整する。端数長さは、例えば最上段の円形鋼管を切断することで調整する。ジャッキ21は、地上に置いた接地板23上に載せ、周囲に打ち込んだアンカー杭24とジャッキ21とをチェーン等のトラ綱25で拘束することにより、安定して位置固定できる。
【００３４】
テンション導入装置２の組み立てを終えれば、図６に見られるように、地上作業として、ジャッキ21により圧縮材17、そして頂点15を突き上げて、斜梁13,14を介して高支柱11及び低支柱12を変位させてプリテンションPTを導入する。このテンション導入装置２による突き上げにより、単位フレーム１は、頂点15が押し上げられて斜梁13,14が折り畳むように屈曲し、前記斜梁13,14の屈曲に従って高支柱11及び低支柱12が内向きに倒れ込むように変位する。前記高支柱11及び低支柱12の変位が、図７に見られるように、プリテンションPTを発生させる。ここで、ジャッキ21により加えられる上向きの力Ｐは、設計荷重＋押上ポスト22の自重分である。前記上向きの力Ｐは、例えば高支柱11及び低支柱12の間隔（スパン）が40ｍ以下の片流れラーメン構造物でも49kN以下で十分であり、比較的小さな力で済む。これから、本発明によれば、片流れラーメン構造物に簡易かつ好適なプリテンションを導入できることが理解される。
【００３５】
傾斜引張材18は、図６中拡大部分に見られるように、例えば斜梁13の変位に追随して左ガセット131が上昇する結果、前記左ガセット131に対して支柱側プレート181が相対的に下降することになり、仮締めボルト1312が斜梁側仮締め孔1311に沿って下降し、前記斜梁側仮締め孔1311下方に移動する。そして、左ガセット131の斜梁側本締め孔1313と、支柱側プレート181の引張材側本締め孔1813とが連通した段階で、引張材側本締め孔1813から本締めボルト1314を挿通して本締めする。これにより、傾斜引張材18は斜梁に対して強固に接続されるため、不要となった仮締めボルト1312は取り外す。傾斜引張材18の本締めや仮締めボルト1312の取り外しは、高所作業である。
【００３６】
こうして、傾斜引張材18,19の本締めが終了すれば、斜梁13,14を介して高支柱11及び低支柱12が変位した状態、すなわちプリテンション導入状態で前記高支柱11、低支柱12及び斜梁13,14が拘束され、高支柱11及び低支柱12それぞれに内向きのプリテンションPTを導入できる。ここで、高支柱11及び低支柱12の高さが異なるほか、高支柱11に方杖16があり、またそれぞれに対する斜梁13,14の接続方向が異なることから、高支柱11及び低支柱12にそれぞれに導入されるプリテンションPTの大きさは微妙に異なるが、本発明によれば高支柱11及び低支柱12それぞれに適切なプリテンションPTを同時かつ容易に導入できる利点がある。
【００３７】
プリテンションPT導入後は、ジャッキ21による押上ポスト22の突き上げを解除した後、テンション導入装置２を解体すれば、一連の作業が終了する。ここで、通常の片流れラーメン構造物では、単位フレーム１が５〜６組存在するため、プリテンションPTを導入する単位フレーム１毎に順次テンション導入装置２を移動させ、全単位フレーム１のプリテンション導入作業が終了した後、押上ポスト22を含めて解体すればよい。こうしたテンション導入装置２の解体は、すべて地上作業である。
【００３８】
このように、本発明の片流れラーメン構造物では、高支柱11及び低支柱12に内向きの適切なプリテンションPTを導入するプリテンション導入作業の大半を地上作業とし、高所作業は押上ポスト22を圧縮材17下端に当接させたり、傾斜引張材18,19の本締めするのみとなる。この結果、例えば地上作業では作業者1人とし、高所作業車は1台のみで済み、単位フレーム１当たりの作業時間は約1.5時間程度、通常５〜６組の単位フレーム１からなる片流れラーメン構造物全体にプリテンションPTを導入する場合でも1日で全作業を終えて、費用も15万円程度に抑えることができる。
【００３９】
本発明の有効性を検証するため、要求される支柱及び斜梁の仕様、支柱に導入されるプリテンションの大きさ、単位フレーム当たりの使用鉄骨重量、そしてプリテンションを導入するための費用を試算した。実施例は本発明に基づく片流れラーメン構造物、比較例1はプリテンションを導入しない特許文献1に基づく片流れラーメン構造物，比較例2はプリテンションを導入しないＨ型鋼を用いた一般の片流れラーメン構造物である。実施例及び比較例1は、単位フレームの基本構成である高支柱、低支柱及び斜梁のほか、圧縮材及び傾斜引張材を用いている。これら実施例、比較例1及び比較例2を積雪30cmの地域（例えば山陽道〜東京辺り）に構築した場合を想定し、それぞれ支柱の間隔（スパン）が30ｍの場合、25ｍの場合、そして20ｍの場合で比較した。比較結果を表1に示す。
【００４０】
【表１】
2007100310.tif 000003
【００４１】
実施例は、試算した支柱の間隔（スパン）が20ｍ〜30ｍの範囲で、比較例１及び比較例2より斜梁及び斜梁に対する使用要求が低くなっており、また比較例1に対して使用鉄骨重量が平均20％減、また比較例2に対しても使用鉄骨重量が平均40％減になっている。この結果は、第1に、片流れラーメン構造物の高支柱及び低支柱に内向きの適切なプリテンションが導入できたことによる効果を示している。また、この結果は、第2に、新たに片流れラーメン構造物にプリテンションを導入するための費用は、支柱の間隔（スパン）に関係なく、およそ一律かつ低廉に抑えられており、本発明が費用対効果に優れていることも示している。
【００４２】
本発明のプリテンション導入工法が特に有用となるのは、倉庫や工場等、2階建又は3階建構成で、下層階は柱を縦横10ｍ間隔としながらも、最上階は無柱大空間にしたい大型建築物を構築する場合である。この場合、最上階の柱に直接プリテンションを導入しようとすれば、図６からも明らかなように、2階床面又は3階床面を通して頂点又は圧縮材下端が視認できる空間があれば、地上から前記頂点又は圧縮材下端を突き上げて高支柱及び低支柱にプリテンションを導入することができる。こうして、本発明はプリテンションを導入した片流れラーメン構造物の利用範囲を拡大する。
【図面の簡単な説明】
【００４３】
【図１】本発明に基づいてプリテンションを導入し終えた片流れラーメン構造物の単位フレームを示す正面図である。
【図２】本例の片流れラーメン構造物の単位フレームにおけるモーメント図である。
【図３】傾斜引張材を仮締めした状態の単位フレームを示す正面図である。
【図４】傾斜引張材を仮締めした状態の単位フレームにおけるモーメント図である。
【図５】テンション導入装置を組み付けている状態の単位フレームを示す正面図である。
【図６】プリテンション導入状態の単位フレームを示す正面図である。
【図７】プリテンション導入状態の単位フレームにおけるモーメント図である。
【符号の説明】
【００４４】
１  片流れラーメン構造物の単位フレーム
11  高支柱
111  支柱側ガセット
12  低支柱
13  高支柱の柱頭から斜め下方に延びる斜梁
131  左ガセット
1311  斜梁側仮締め孔
1312  仮締めボルト
1313  斜梁側本締め孔
1314  本締めボルト
14  低支柱の柱頭から斜め上方に延びる斜梁
141  右ガセット
15  頂点
151  頂点ガセット
16  方杖
17  圧縮材
171  中央ガセット
1711  突当板
18  高支柱の柱頭から斜め下方に延びる斜梁に接続する傾斜引張材
1811  引張材側仮締め孔
1813  引張材側本締め孔
19  低支柱の柱頭から斜め上方に延びる斜梁に接続する傾斜引張材
２  テンション導入装置
【図１】
2007100310.tif 000004
【図２】
2007100310.tif 000005
【図３】
2007100310.tif 000006
【図４】
2007100310.tif 000007
【図５】
2007100310.tif 000008
【図６】
2007100310.tif 000009
【図７】
2007100310.tif 000010
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
高支柱から斜め下方へ延ばした斜梁と前記高支柱に対となる低支柱から斜め上方へ延ばした斜梁とを頂点で突き合わせ、高支柱上の点と斜め下方に降ろした斜梁上の点との間に方杖を架設し、前記頂点から降ろした圧縮材下端と各斜梁上の点とを傾斜引張材で結んで構成される複数の単位フレームからなる片流れラーメン構造物において、圧縮材はプリテンションを導入する前の現寸より押し上げられる頂点の垂直変位量だけ長くした実寸にし、傾斜引張材はプリテンションを導入する前の現寸より前記頂点の押上による斜梁の略水平変位量だけ短くした実寸にしてなり、圧縮材下端及び斜梁上の点に傾斜引張材を仮締めした状態で、圧縮材下端を下方から押し上げて圧縮材及び傾斜引張材を変位させ、前記圧縮材及び前記傾斜引張材の変位により頂点が押し上げられる斜梁を介して高支柱及び低支柱に内向きのプリテンションを発生させ、前記プリテンションが発生している状態で、圧縮材下端及び斜梁上の点に傾斜引張材を本締めすることにより、各単位フレームの対となる高支柱及び低支柱に内向きのプリテンションを導入してなることを特徴とする片流れラーメン構造物。
【請求項２】
傾斜引張材は、斜梁上の点と接続する引張材側仮締め孔及び引張材側本締め孔を端部に設け、また斜梁上の点は、前記傾斜引張材の端部を接続する斜梁側仮締め孔及び斜梁側本締め孔を設けてなり、斜梁側仮締め孔は略垂直方向に延在する長孔であり、前記斜梁側仮締め孔の上方と引張材側仮締め孔とに仮締めボルトを挿通して仮締めした状態で圧縮材下端を押し上げ、仮締めボルトを斜梁側仮締め孔の下方に変位させることにより斜梁側本締め孔と引張材側本締め孔とを連通させ、こうして連通した斜梁側本締め孔と引張材側本締め孔とに本締めボルトを挿通して本締めしてなる請求項１記載の片流れラーメン構造物。
【請求項３】
高支柱から斜め下方へ延ばした斜梁と前記高支柱に対となる低支柱から斜め上方へ延ばした斜梁とを頂点で突き合わせ、高支柱上の点と前記斜め下方に降ろした斜梁上の点との間に方杖を架設し、前記頂点から降ろした圧縮材下端と各斜梁上の点とを傾斜引張材で結んで構成される複数の単位フレームからなる片流れラーメン構造物における前記各単位フレームの対となる高支柱及び低支柱に内向きのプリテンションを導入するに際し、単位フレームは、プリテンションを導入する前の現寸より押し上げられる頂点の垂直変位量だけ長くした実寸の圧縮材を頂点から降ろし、プリテンションを導入する前の現寸より前記頂点の押上による斜梁の略水平変位量だけ短くした実寸の傾斜引張材で前記圧縮材下端と各斜梁上の点とを結んだ構成にしてなり、圧縮材下端及び斜梁上の点に傾斜引張材を仮締めした状態で、地上に設置されたジャッキにより延在方向に突き上げられる押上ポスト上端により圧縮材下端を上方へ押し上げて圧縮材及び傾斜引張材を変位させ、前記圧縮材及び前記傾斜引張材の変位により頂点が押し上げられる斜梁を介して高支柱及び低支柱に内向きのプリテンションを発生させた状態で、圧縮材下端及び斜梁上の点に傾斜引張材を本締めして、各単位フレームの対となる高支柱及び低支柱に内向きのプリテンションを導入することを特徴とするプリテンション導入工法。
【請求項４】
傾斜引張材と斜梁上の点とは、傾斜引張材の端部に設けた引張材側仮締め孔と斜梁上の点に設けた略垂直方向の長孔である斜梁側仮締め孔の上方とに仮締めボルトを挿通して仮締めした状態で圧縮材下端を押し上げ、仮締めボルトを斜梁側仮締め孔の下方に変位させることにより斜梁側本締め孔と引張材側本締め孔とを連通させ、こうして連通した斜梁側本締め孔と引張材側本締め孔とを本締めボルトにより本締めする請求項３記載のプリテンション導入工法。